(57)【特許請求の範囲】
【請求項１】
凸部と凹部とを周方向に交互に存在させて少なくとも４つづつ長手方向に沿って設けているスロットロッドが固定フレームに１本の固定ネジで固定されているスロットロッドの固定部において、
前記固定フレームは前記固定ネジが貫通する固定ネジホールド部と、該固定ネジホールド部に一体となっていて前記スロットロッドの隣接する２つの前記凸部の先端が接触する第１の凸部接触部と、該第１の凸部接触部に一体となっていて前記スロットロッドの隣接する２つの前記凸部の先端が接触する第２の凸部接触部とで構成され、前記固定ネジは前記第１，第２の凸部接触部に接触していない前記凸部の先端から該凸部に螺合されていることを特徴とするスロットロッドの固定部。
【請求項２】
凸部と凹部とを周方向に交互に存在させて６つづつ長手方向に沿って設けているスロットロッドが固定フレームに１本の固定ネジで固定されているスロットロッドの固定部において、
前記固定フレームは前記固定ネジが貫通する固定ネジホールド部と、該固定ネジホールド部に一体となっていて前記スロットロッドの隣接する２つの前記凸部の先端が接触する第１の凸部接触部と、該第１の凸部接触部に一体となっていて前記スロットロッドの隣接する前記２つの凸部に隣接する２つの前記凸部の先端が接触する第２の凸部接触部とで構成され、前記固定ネジは前記第１，第２の凸部接触部に接触していない前記凸部の先端から該凸部に螺合されていることを特徴とするスロットロッドの固定部。
【請求項３】
凸部と凹部とを周方向に交互に存在させて６つづつ長手方向に沿って設けているスロットロッドが固定フレームに１本の固定ネジで固定されているスロットロッドの固定部において、
前記固定フレームは前記固定ネジが貫通する固定ネジホールド部と、該固定ネジホールド部に一体となっていて前記スロットロッドの隣接する２つの前記凸部の先端が接触する第１の凸部接触部と、該第１の凸部接触部に連結部を介して一体となっていて前記スロットロッドの隣接する前記２つの凸部に隣接する２つの前記凸部の先端が接触する第２の凸部接触部とで構成され、前記固定ネジは前記第１，第２の凸部接触部に接触していない前記凸部の先端から該凸部に螺合されていることを特徴とするスロットロッドの固定部。
【発明の詳細な説明】
【０００１】
【発明の属する技術分野】
本発明は、例えば光ケーブルで各光ファイバを複数の凹部内に収納するスロットロッドをクロージャや接続箱内で固定するスロットロッドの固定部に関するものである。
【０００２】
【従来の技術】
従来、スロットロッドをクロージャや接続箱内で１本の固定ネジを用いて固定するスロットロッドの固定部の構造としては、図３または図４に示す構造であった。
【０００３】
図３に示すスロットロッドの固定部は、凸部１ａ〜１ｆと凹部２ａ〜２ｆとを周方向に交互に存在させて６つづつ長手方向に沿って設けているスロットロッド３が、固定フレーム４に載せられている。固定フレーム４は、固定ネジ５が厚み方向に貫通する固定ネジホールド部４ａと、該固定ネジホールド部４ａに一体となっていてスロットロッド３の１つの凸部１ｄの先端が接触する第１の凸部接触部４ｂと、該第１の凸部接触部４ｂに一体となっていてスロットロッド３の隣接する２つの凸部１ｅ，１ｆの先端が接触する円弧部４ｃとで構成されている。固定ネジ５は、凹部２ｂでスロットロッド３に螺合されている。
【０００４】
図４に示すスロットロッドの固定部は、凸部１ａ〜１ｆと凹部２ａ〜２ｆとを周方向に交互に存在させて６つづつ長手方向に沿って設けているスロットロッド３が、四角筒状の固定フレーム４内に配置されている。固定フレーム４は、固定ネジ５が厚み方向に貫通する固定ネジホールド部４ａと、該固定ネジホールド部４ａに一体となっていてスロットロッド３の１つの凸部１ｄの先端が接触する第１の凸部接触部４ｂと、該第１の凸部接触部４ｂに一体となっていてスロットロッド３の隣接する２つの凸部１ｅ，１ｆの先端が接触する第２の凸部接触部４ｂと、該第２の凸部接触部４ｂと固定ネジホールド部４ａとに一体となっていてスロットロッド３の１つの凸部１ａが接触する第３の凸部接触部４ｅとで構成されている。固定ネジ５は、凹部２ｂでスロットロッド３に螺合されている。
【０００５】
なお、図３及び図４において、６はスロットロッド３の軸心に設けられているテンションメンバである。
【０００６】
【発明が解決しようとする課題】
このように図３や図４に示すスロットロッドの固定部では、固定ネジ５をスロットロッド３の例えば１つの凸部１ｂに螺合しようとしても、固定ネジ５の螺合時にスロットロッド３が固定フレーム４上で回転してしまって固定ネジ５が凹部２ｂでスロットロッド３に螺合されてしまっていた。このように固定ネジ５が凹部２ｂでスロットロッド３に螺合されると、凹部２ｂではスロットロッド３の肉厚が薄く、固定ネジ５による食い込み量が少なく、固定力が不足してしまう問題点があった。
【０００７】
本発明の目的は、スロットロッドの１つの凸部に固定ネジを安定して螺合させることができるスロットロッドの固定部を提供することにある。
【０００８】
【課題を解決するための手段】
本発明は、凸部と凹部とを周方向に交互に存在させて少なくとも４つづつ長手方向に沿って設けているスロットロッドが固定フレームに１本の固定ネジで固定されているスロットロッドの固定部において、
固定フレームは固定ネジが貫通する固定ネジホールド部と、該固定ネジホールド部に一体となっていてスロットロッドの隣接する２つの凸部の先端が接触する第１の凸部接触部と、該第１の凸部接触部に一体となっていてスロットロッドの隣接する２つの凸部の先端が接触する第２の凸部接触部とで構成され、固定ネジは第１，第２の凸部接触部に接触していない凸部の先端から該凸部に螺合されていることを特徴とする。
【０００９】
このように固定フレームが、スロットロッドの隣接する２つの凸部の先端が接触する第１の凸部接触部と、該第１の凸部接触部に一体となっていてスロットロッドの隣接する２つの凸部の先端が接触する第２の凸部接触部とを備えていると、スロットロッドは固定ネジの螺合時に回転しないように保持される。このため１つの凸部に固定ネジを安定して螺合させることができる。スロットロッドの凸部に固定ネジを螺合させると、固定ネジの食い込み量が長くなり、固定ネジによる固定力を安定させることができる。
【００１０】
また、本発明は凸部と凹部とを周方向に交互に存在させて６つづつ長手方向に沿って設けているスロットロッドが固定フレームに１本の固定ネジで固定されているスロットロッドの固定部において、
固定フレームは固定ネジが貫通する固定ネジホールド部と、該固定ネジホールド部に一体となっていてスロットロッドの隣接する２つの凸部の先端が接触する第１の凸部接触部と、該第１の凸部接触部に一体となっていてスロットロッドの隣接する２つの凸部に隣接する２つの凸部の先端が接触する第２の凸部接触部とで構成され、固定ネジは第１，第２の凸部接触部に接触していない凸部の先端から該凸部に螺合されていることを特徴とする。
【００１１】
このような構造になっていると、凸部と凹部とが交互に６つづつ設けられているスロットロッドを、固定フレームの第１，第２の凸部接触部で回転しないように保持した状態で、スロットロッドの凸部に固定ネジを螺合させることができる。スロットロッドの凸部に固定ネジを螺合させると、固定ネジの食い込み量が長くなり、固定ネジによる固定力を安定させることができる。
【００１２】
更に本発明は、凸部と凹部とを周方向に交互に存在させて６つづつ長手方向に沿って設けているスロットロッドが固定フレームに１本の固定ネジで固定されているスロットロッドの固定部において、
固定フレームは固定ネジが貫通する固定ネジホールド部と、該固定ネジホールド部に一体となっていてスロットロッドの隣接する２つの凸部の先端が接触する第１の凸部接触部と、該第１の凸部接触部に連結部を介して一体となっていてスロットロッドの隣接する２つの凸部に隣接する２つの凸部の先端が接触する第２の凸部接触部とで構成され、固定ネジは第１，第２の凸部接触部に接触していない凸部の先端から該凸部に螺合されていることを特徴とする。
【００１３】
このような構造の固定フレームでも、凸部と凹部とが交互に６つづつ設けられているスロットロッドを、該固定フレームの第１，第２の凸部接触部で回転しないように保持した状態で、スロットロッドの凸部に固定ネジを螺合させることができる。スロットロッドの凸部に固定ネジを螺合させると、固定ネジの食い込み量が長くなり、固定ネジによる固定力を安定させることができる。
【００１４】
上記のいずれの発明においても、固定フレームに単にスロットロッドの隣接する２つの凸部の先端が接触する第１の凸部接触部と、スロットロッドの隣接する２つの凸部の先端が接触する第２の凸部接触部とを設ける形状の変更だけで、スロットロッドの凸部に固定ネジを螺合させることができ、コストアップを回避することができる。
【００１５】
【発明の実施の形態】
図１は本発明に係るスロットロッドの固定部における実施の形態の第１例を示したものである。
【００１６】
本例のスロットロッドの固定部においては、スロットロッド３は凸部１ａ〜１ｆと凹部２ａ〜２ｆとを周方向に交互に存在させて６つづつ長手方向に沿って設けた構造になっている。
【００１７】
固定フレーム４は、固定ネジ５が貫通する固定ネジホールド部４ａと、該固定ネジホールド部４ａに一体となっていてスロットロッド３の隣接する２つの凸部１ｃ，１ｄの先端が接触する第１の凸部接触部４ｂと、該第１の凸部接触部４ｂに一体となっていてスロットロッド３の隣接する２つの凸部１ｃ，１ｄに隣接する２つの凸部１ｅ，１ｆの先端が接触する第２の凸部接触部４ｄとで構成されている。固定ネジ５は、第１，第２の凸部接触部４ｂ，４ｄに接触していない凸部１ｂの先端から該凸部１ｂに螺合されている。
【００１８】
このように固定フレーム４が、スロットロッド２の隣接する２つの凸部１ｃ，１ｄの先端が接触する第１の凸部接触部４ｂと、該第１の凸部接触部４ｂに一体となっていてスロットロッド３の隣接する２つの凸部１ｅ，１ｆの先端が接触する第２の凸部接触部４ｄとを備えていると、スロットロッド４は固定ネジ５の螺合時に回転しないように保持される。このため１つの凸部１ｂに固定ネジ５を安定して螺合させることができる。スロットロッド３の凸部１ｂに固定ネジ５を螺合させると、固定ネジ５の食い込み量が長くなり、固定ネジ５による固定力を安定させることができる。
【００１９】
また、このようなスロットロッドの固定部によれば、固定フレーム４に単にスロットロッド３の隣接する２つの凸部１ｃ，１ｄの先端が接触する第１の凸部接触部４ｂと、スロットロッド３の隣接する２つの凸部１ｅ，１ｆの先端が接触する第２の凸部接触部４ｄとを設ける形状の変更だけで、スロットロッド３の凸部１ｂに固定ネジ５を螺合させることができ、コストアップを回避することができる。
【００２０】
図２は本発明に係るスロットロッドの固定部における実施の形態の第２例を示したものである。
【００２１】
本例のスロットロッドの固定部においても、スロットロッド３は凸部１ａ〜１ｆと凹部２ａ〜２ｆとを周方向に交互に存在させて６つづつ長手方向に沿って設けた構造になっている。
【００２２】
固定フレーム４は、固定ネジ５が貫通する固定ネジホールド部４ａと、該固定ネジホールド部４ａに一体となっていてスロットロッド３の隣接する２つの凸部１ｃ，１ｄの先端が接触する第１の凸部接触部４ｂと、該第１の凸部接触部４ｂに連結部４ｆを介して一体となっていてスロットロッド３の隣接する２つの凸部１ｃ，１ｄに隣接する２つの凸部１ｅ，１ｆの先端が接触する第２の凸部接触部４ｄとで構成されている。固定ネジ５は、第１，第２の凸部接触部４ｂ，４ｄに接触していない凸部１ｂの先端から該凸部１ｂに螺合されている。
【００２３】
このような構造の固定フレームでも、凸部１ａ〜１ｆと凹部２ａ〜２ｆとが交互に６つづつ設けられているスロットロッド３を、該固定フレーム４の第１，第２の凸部接触部４ｂ，４ｄで回転しないように保持した状態で、スロットロッド３の凸部１ｂに固定ネジ５を螺合させることができる。スロットロッド３の凸部１ｂに固定ネジ５を螺合させると、固定ネジ５の食い込み量が長くなり、固定ネジ５による固定力を安定させることができる。
【００２４】
この発明においても、固定フレーム４に単にスロットロッド３の隣接する２つの凸部１ｃ，１ｄの先端が接触する第１の凸部接触部４ｂと、スロットロッド３の隣接する２つの凸部１ｅ，１ｆの先端が接触する第２の凸部接触部４ｄとを設ける形状の変更だけで、スロットロッド３の凸部１ｂに固定ネジ５を螺合させることができ、コストアップを回避することができる。
【００２５】
上記各例では、スロットロッド３の特定の２つの凸部１ｃ，１ｄと凸部１ｅ，１ｆが第１，第２の凸部接触部４ｂ，４ｄに接触するとして説明したが、これはスロットロッド３の固定フレーム４に載せるときの向きによるものであり、本発明はこれらに限定されるものではない。
【００２６】
また上記各例では、凸部１ａ〜１ｆと凹部２ａ〜２ｆとを交互に６つづつ設けたスロットロッド３を用いる例について示したが、このスロットロッド３としては凸部１ａ〜１ｄと凹部２ａ〜２ｄとを周方向に交互に存在させて少なくとも４つづつ長手方向に沿って設けた構造のものを用いることができる。この場合には、例えば第１の凸部接触部４ｂにはスロットロッド３の隣接する２つの凸部１ｂ，１ｃの先端が接触し、第２の凸部接触部４ｄにはスロットロッド３の隣接する２つの凸部１ｃ，１ｄの先端が接触し、固定ネジ５はスロットロッド３の凸部１ａに螺合させることができる。即ち、この場合には、１つの凸部が第１，第２の凸部接触部４ｂ，４ｄに接触することになる。
【００２７】
【発明の効果】
本発明に係るスロットロッドの固定部において、固定フレームとして、固定ネジが貫通する固定ネジホールド部と、該固定ネジホールド部に一体となっていてスロットロッドの隣接する２つの凸部の先端が接触する第１の凸部接触部と、該第１の凸部接触部に一体となっていてスロットロッドの隣接する２つの凸部に隣接する２つの凸部の先端が接触する第２の凸部接触部とを備えた構造のものをもちいているので、スロットロッドは第１，第２の凸部接触部で把持されることにより固定ネジの螺合時に回転しないように保持されることになる。このため１つの凸部に固定ネジを安定して螺合させることができる。スロットロッドの凸部に固定ネジを螺合させると、固定ネジの食い込み量が長くなり、固定ネジによる固定力を安定させることができる。また、本発明によれば、固定フレームに単にスロットロッドの隣接する２つの凸部の先端が接触する第１の凸部接触部と、スロットロッドの隣接する２つの凸部の先端が接触する第２の凸部接触部とを設ける形状の変更だけで、スロットロッドの凸部に固定ネジを螺合させることができ、コストアップを回避することができる。
【図面の簡単な説明】
【図１】本発明に係るスロットロッドの固定部における実施の形態の第１例を示す横断面図である。
【図２】本発明に係るスロットロッドの固定部における実施の形態の第２例を示す横断面図である。
【図３】従来のスロットロッドの固定部の一例を示す横断面図である。
【図４】従来のスロットロッドの固定部の他の例を示す横断面図である。
【符号の説明】
１ａ〜１ｆ  凸部
２ａ〜２ｆ  凹部
３  スロットロッド
４  固定フレーム
４ａ  固定ネジホールド部
４ｂ  第１の凸部接触部
４ｃ  円弧部
４ｄ  第２の凸部接触部
４ｅ  第３の凸部接触部
４ｆ  連結部
５  固定ネジ
６  テンションメンバ
【図１】
0004100837.tif 000002
【図２】
0004100837.tif 000003
【図３】
0004100837.tif 000004
【図４】
0004100837.tif 000005